(57)【要約】【課題】表示部の表示画面を大画面化することなく、操作者にとって重要であると想定される各頁の内容を操作者が容易に把握できるようにする。【解決手段】複合機１は、画像データの各頁毎に変更履歴情報が付与されているか否かを検出する変更頁検出部５２３と、画像データをなす頁のサムネイル画像を生成するサムネイル画像生成部５２４と、当該サムネイル画像と、上記検出された変更頁を示すポップアップ画像Ｄ２とを表示部４１０に表示させる表示制御部５２２と、ポップアップ画像Ｄ２が示す頁の中から、操作者が指定する頁を受け付ける頁指定受付部５２５とを備え、表示制御部５２２は、頁指定受付部５２５に操作者からの頁指定が受け付けられた場合、当該受け付けられた頁のサムネイル画像を表示させる。【選択図】図５
2011199748.tif 000002
【特許請求の範囲】
【請求項１】
画像を表示する表示部と、
画像データを取得する画像データ取得部と、
前記画像データ取得部で取得された画像データの各頁毎に、内容を更新したことを示す変更履歴情報が付与されているか否かを検出する変更頁検出部と、
前記画像データ取得部で取得された画像データについて、少なくとも前記変更頁検出部によって前記変更履歴情報が付与されていると検出された頁のサムネイル画像を生成するサムネイル画像生成部と、
前記サムネイル画像生成部によって生成されたいずれかの頁のサムネイル画像と、前記サムネイル画像生成部によってサムネイル画像が生成される前記変更頁の頁番号情報を示すポップアップ画像とを前記表示部に表示させる表示制御部と、
前記表示制御部によって表示されたポップアップ画像が示す前記頁番号情報の中から、操作者が指定する頁番号情報を受け付ける頁指定受付部とを備え、
前記表示制御部は、前記頁指定受付部に操作者からの頁番号情報の指定が受け付けられた場合、この時点で前記表示部に表示させているサムネイル画像に代えて、当該受け付けられた頁番号情報が示す頁のサムネイル画像を前記表示部に表示させる画像表示装置。
【請求項２】
前記変更頁検出部は、前記変更履歴情報が付与されていると検出した各頁について、前記内容の更新により変更されたデータ変更量を更に検出し、
前記表示制御部は、前記変更履歴情報が付与されていると検出された各頁を示す頁番号情報を、前記変更頁検出部によって検出された変更量の多い順に並べて、前記ポップアップ画像を表示させる請求項１に記載の画像表示装置。
【請求項３】
前記画像データの内容を変更した各操作者が有する識別情報を取得する識別情報取得部を更に備え、
前記変更頁検出部は、前記識別毎に前記変更履歴情報を検出し、
前記表示制御部は、前記識別情報取得部に前記識別情報が取得された場合、前記変更頁検出部によって検出される当該識別情報についての前記変更頁を示す頁番号情報を前記ポップアップ画像により表示させる請求項１に記載の画像表示装置。
【請求項４】
前記表示制御部は、前記ポップアップ画像を、前記変更履歴情報が付与されていると検出された各頁を示す頁番号情報毎に表示する請求項１乃至請求項３のいずれかに記載の画像表示装置。
【請求項５】
前記表示制御部は、前記サムネイル画像生成部によって生成されたいずれかの頁のサムネイル画像に代えて、前記画像データ取得部で取得された画像データを示すアイコン画像を表示すると共に、前記変更頁検出部によって前記変更履歴情報が付与されていると検出された頁の頁番号情報を示すポップアップ画像を前記表示部に表示させる請求項１乃至請求項４のいずれかに記載の画像表示装置。
【請求項６】
請求項１乃至請求項５のいずれかに記載の画像表示装置と、
前記画像データ記憶部に記憶された画像データに基づいた画像形成を記録媒体に対して行う画像形成部と
を備える画像形成装置。
【発明の詳細な説明】
【技術分野】
【０００１】
本発明は、画像表示装置及び画像形成装置に関し、特に、表示部の表示画面に複数の画像を表示させる技術に関する。
【背景技術】
【０００２】
従来から、複写機等の画像形成装置では、複写対象として読み込んだ原稿の画像を、記録紙への画像形成前に、ＬＣＤ（Liquid Crystal Display）等の表示部にプレビュー表示させるものが知られている。例えば、下記特許文献１に示される印刷プレビュー表示方法では、表示部の表示画面に、複数頁分の原稿画像を、各頁の原稿画像を互いに所定幅だけずらして表示することにより、印刷される内容と、複数頁分の原稿画像が印刷対象になっていることをユーザが把握できるようにしている。
【先行技術文献】
【特許文献】
【０００３】
【特許文献１】特開２００４−３１８５８１号公報
【発明の概要】
【発明が解決しようとする課題】
【０００４】
しかしながら、上記特許文献１に示される従来技術は、各頁の原稿画像を互いに所定幅ずらして表示のみであるため、最前面に表示した頁の原稿画像以外の画像は大部分が表示されず、原稿画像の端部が表示されるに過ぎず、ユーザは、当該最前面頁の原稿画像の内容は把握できるが、当該最前頁の後ろに隠れる各原稿画像の内容を把握できない。また、表示部の表示領域を大きく構成して複数頁の原稿画像を表示可能にすると、製造コストを上昇させる要因になる。さらには、操作者にとって重要であると想定される頁を的確に表示部で操作者に案内可能にすることが望まれる。
【０００５】
本発明は、上記の問題を解決するためになされたもので、表示部の表示画面を大画面化することなく、操作者にとって重要であると想定される各頁の内容を操作者が容易に把握できるようにすることを目的とする。
【課題を解決するための手段】
【０００６】
本発明の請求項１に記載の発明は、画像を表示する表示部と、
画像データを取得する画像データ取得部と、
前記画像データ取得部で取得された画像データの各頁毎に、内容を更新したことを示す変更履歴情報が付与されているか否かを検出する変更頁検出部と、
前記画像データ取得部で取得された画像データについて、少なくとも前記変更頁検出部によって前記変更履歴情報が付与されていると検出された頁のサムネイル画像を生成するサムネイル画像生成部と、
前記サムネイル画像生成部によって生成されたいずれかの頁のサムネイル画像と、前記サムネイル画像生成部によってサムネイル画像が生成される前記変更頁の頁番号情報を示すポップアップ画像とを前記表示部に表示させる表示制御部と、
前記表示制御部によって表示されたポップアップ画像が示す前記頁番号情報の中から、操作者が指定する頁番号情報を受け付ける頁指定受付部とを備え、
前記表示制御部は、前記頁指定受付部に操作者からの頁番号情報の指定が受け付けられた場合、この時点で前記表示部に表示させているサムネイル画像に代えて、当該受け付けられた頁番号情報が示す頁のサムネイル画像を前記表示部に表示させる画像表示装置である。
【０００７】
この発明によれば、変更頁検出部が、画像データ取得部で取得された画像データの各頁毎に上記変更履歴情報付与の有無を検出し、当該変更履歴情報が付与されている頁についてサムネイル画像生成部がサムネイル画像を生成する。そして、表示制御部は、サムネイル画像生成部により生成されたいずれかの頁のサムネイル画像と、当該サムネイル画像が生成される変更頁の頁番号情報を示すポップアップ画像とを表示部に表示させると共に、頁指定受付部に受け付けられた頁番号情報のサムネイル画像を、この時点で表示部に表示させているサムネイル画像に代えて表示部に表示させる。これにより、操作者にとって必要であると想定される各頁、すなわち、内容が更新されている頁のみに数を絞って表示部にサムネイル画像を表示可能とし、また、操作者は、上記ポップアップ画像表示に基づく操作により所望の頁のサムネイル画像を簡単に表示部に表示させることができる。このため、表示部の表示画面を大画面化することなく、操作者に、重要と想定される各頁の内容を把握させることができ、操作者は簡単に所望の頁を見つけ出すことができる。
【０００８】
また、請求項２に記載の発明は、請求項１に記載の画像表示装置であって、前記変更頁検出部は、前記変更履歴情報が付与されていると検出した各頁について、前記内容の更新により変更されたデータ変更量を更に検出し、
前記表示制御部は、前記変更履歴情報が付与されていると検出された各頁を示す頁番号情報を、前記変更頁検出部によって検出された変更量の多い順に並べて、前記ポップアップ画像を表示させるものである。
【０００９】
この発明によれば、表示制御部は、変更履歴情報が付与されている各頁を示すべき番号情報を、内容更新の変更量の多い順に並べて記ポップアップ画像を表示させるので、操作者にとって重要性が高いと想定される頁順に頁番号情報が表示され、操作者は、ポップアップ画像で表示されている各頁について重要性の程度を容易に把握することができる。
【００１０】
また、請求項３に記載の発明は、請求項１に記載の画像表示装置であって、前記画像データの内容を変更した各操作者が有する識別情報を取得する識別情報取得部を更に備え、
前記変更頁検出部は、前記識別毎に前記変更履歴情報を検出し、
前記表示制御部は、前記識別情報取得部に前記識別情報が取得された場合、前記変更頁検出部によって検出される当該識別情報についての前記変更頁を示す頁番号情報を前記ポップアップ画像により表示させるものである。
【００１１】
この発明によれば、表示制御部が、上記識別情報毎に、変更履歴情報が付与された頁の頁番号情報を示すポップアップ画像を表示させるので、重要と想定される頁を操作者別にポップアップ画像により案内して、操作者は、重要と想定される各頁のサムネイル画像を簡単に表示部に表示させることができる。
【００１２】
また、請求項４に記載の発明は、請求項１乃至請求項３のいずれかに記載の画像表示装置であって、前記表示制御部は、前記ポップアップ画像を、前記変更履歴情報が付与されていると検出された各頁を示す頁番号情報毎に表示するものである。
【００１３】
この発明によれば、表示制御部は、ポップアップ画像を、変更履歴情報が付与されていると検出された各頁を示す頁番号情報毎に表示するので、操作者にとって重要であると想定される各頁を更に明確に表示部に表示することができる。
【００１４】
また、請求項５に記載の発明は、請求項１乃至請求項４のいずれかに記載の画像表示装置であって、前記表示制御部は、前記サムネイル画像生成部によって生成されたいずれかの頁のサムネイル画像に代えて、前記画像データ取得部で取得された画像データを示すアイコン画像を表示すると共に、前記変更頁検出部によって前記変更履歴情報が付与されていると検出された頁の頁番号情報を示すポップアップ画像を前記表示部に表示させるものである。
【００１５】
この発明によれば、表示制御部は、サムネイル画像生成部によって生成されたいずれかの頁のサムネイル画像に代えて、画像データ取得部で取得された画像データを示すアイコン画像を表示するので、当該画像データの特徴等をアイコンで表示可能としつつ、操作者にとって必要であると想定される各頁、すなわち、内容が更新されている頁のみに数を絞って表示部にサムネイル画像を表示可能とし、また、操作者は、上記ポップアップ画像表示により所望の頁のサムネイル画像を簡単に表示させることができる。
【００１６】
また、請求項６に記載の発明は、請求項１乃至請求項５のいずれかに記載の画像表示装置と、
前記画像データ記憶部に記憶された画像データに基づいた画像形成を記録媒体に対して行う画像形成部と
を備える画像形成装置である。
【００１７】
この発明によれば、請求項１乃至請求項５のいずれかに記載の発明と同様の作用を奏する。
【発明の効果】
【００１８】
本発明によれば、表示部の表示画面を大画面化することなく、操作者に、重要と想定される各頁の内容を把握させることができ、操作者は簡単に所望の頁を見つけ出すことができる。
【図面の簡単な説明】
【００１９】
【図１】本発明の一実施形態に係る画像形成装置の一例である複合機の構成を示す側面概略図である。
【図２】操作部の部分拡大図である。
【図３】図１に示す複合機の制御ブロック図である。
【図４】複合機におけるサムネイル画像表示処理の第１実施形態を示すフローチャートである。
【図５】表示画面の一例を示す図である。
【図６】表示画面の一例を示す図である。
【図７】複合機におけるサムネイル画像表示処理の第２実施形態を示すフローチャートである。
【図８】表示画面の一例を示す図である。
【図９】表示画面の一例を示す図である。
【図１０】表示画面の一例を示す図である。
【発明を実施するための形態】
【００２０】
以下、本発明に係る画像表示装置及びこれを備えた画像形成装置について説明する。図１は、本発明の一実施形態に係る画像形成装置の一例である複合機の構成を示す側面概略図である。図２は、操作部４００の部分拡大図である。複合機１は、スキャナ機能、ファクシミリ機能、プリンタ機能、コピー機能等を兼ね備えている。複合機１は、本体部２００と、本体部２００の用紙搬出側、例えば左側に配設された用紙後処理部３００と、操作者が種々の操作指令等を入力するための操作部４００と、本体部２００の上部に配設された原稿読み取り部５００と、原稿読み取り部５００の上部に配設された原稿給送部６００とから構成される。
【００２１】
図２にも示すように、操作部４００は、ＬＣＤ（Liquid Crystal Display）等からなる表示部４１０と、操作者から操作指示が入力される操作キー部４３０を備える。操作キー部４３０は、ヘルプキー４３１、スタートボタン４３２、テンキー４３３、及び機能切換キー４３４等を備える。
【００２２】
ヘルプキー４３１は、操作者から、スキャナ機能、ファクシミリ機能、プリンタ機能、コピー機能等に関する各操作方法を表示する操作画面（ヘルプ画面）を表示部４１０に表示させる指示を受け付けるものである。
【００２３】
スタートボタン４３２は、コピー動作やスキャン動作等の各動作を開始させる指示を操作者から受け付ける。テンキー４３３は、コピー部数を指定する指示等を操作者から受け付けるキーである。また、本実施形態では、テンキー４３３は、表示部４１０に表示中の操作画面に対応する操作指示の入力に必要な情報（例えば、ユーザボックス番号）の入力を受け付ける情報入力部として機能する。
【００２４】
機能切換キー４３４は、コピー機能、送信機能（スキャナ機能、ファクシミリ機能等）、文書ボックス機能（後述するＨＤＤ７４内に設けられている操作者毎の記憶領域（メールボックス）に記憶されているデータを読み出してプリントする機能）等を相互に切り替える機能切換指示を操作者から受け付けるキーである。
【００２５】
表示部４１０は、ＬＣＤ（Liquid Crystal Display）等からなり、タッチパネル機能を組み合わせたタッチパネルユニット等を備えている。表示部４１０は、種々の操作画面を表示すると共に、操作者が表示面（表示されている操作キー）をタッチすることで種々の機能の実行指令を入力することが可能とされている。
【００２６】
原稿給送部６０は、原稿載置部６０１、給紙ローラ６０２、原稿搬送部６０３及び原稿排出部６０４を備え、原稿読み取り部（画像データ取得部の一例）５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２７】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２８】
感光体ドラム２０４は、矢印方向に回転しながら帯電装置（図示省略）によって一様に帯電される。露光装置２０６は、原稿読み取り部５００において読み取られた原稿の画像に応じて変調されたレーザ光を感光体ドラム２０４上に走査し、ドラム表面に各色毎の静電潜像を形成する。現像装置２０７は、黒色の現像剤を感光体ドラム２０４に供給してトナー画像を形成する。
【００２９】
一方、給紙ローラ２０２は、記録紙が収納された給紙カセット２０１から記録紙を引き出し、転写ローラ２０３まで給送する。転写ローラ２０３は、搬送された記録紙に感光体ドラム２０４上のトナー像を転写させ、定着ローラ２０８は、転写されたトナー像を加熱して記録紙に定着させる。その後、記録紙は、本体部２００の排出口２０９から用紙後処理部３００に搬入される。また、記録紙は、必要に応じて排出トレイ２１０へも排出される。
【００３０】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００３１】
図３は、図１に示す複合機の制御ブロック図である。複合機１は、スキャナ部１１、画像処理部２１、プリンタ部３１、操作部４００、制御部５１、ネットワークＩ／Ｆ（インターフェース）部７１、ＨＤＤ（ハードディスクドライブ）７４、及びファクシミリ通信部７５を備える。
【００３２】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像
に対応する画像を画像処理部２１へ出力する。
【００３３】
画像処理部２１は、補正部２２、画像加工部２３及び画像メモリ２４を含む。画像処理部２１は、読み取られた画像を必要に応じて補正部２２及び画像加工部２３により処理する。画像処理部２１によって処理された画像は印刷用に画像メモリ２４に記憶され、又はプリンタ部３１に出力される。補正部２２は、読み取られた画像に対してレベル補正、γ補正等の所定の補正処理を行う。画像加工部２３は、画像の圧縮又は伸張処理、及び拡大又は縮小処理等の種々の加工処理を行う。
【００３４】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。プリンタ部３１は、スキャナ部１１により読み取られた原稿データを用いて画像を記録紙に印刷する。具体的には、用紙搬送部３２は記録紙を画像形成部３３へ搬送し、画像形成部３３は上記の画像に対応するトナー像を形成し、転写部３４はトナー像を記録紙に転写し、定着部３５はトナー像を記録紙に定着させて画像を形成する。
【００３５】
ネットワークＩ／Ｆ部７１は、ネットワークインタフェース（10/100Base-TX）等を用い、ＬＡＮを介して外部装置、例えばＬＡＮ接続されたパーソナルコンピュータとの間での種々のデータの送受信を制御する。ＨＤＤ７４は、スキャナ部１１によって読み取られた画像及び当該画像に設定されている出力形式等を記憶する。
【００３６】
操作部４００は、図１及び図２に示したように表示部４１０、操作キー部４３０を備える。表示部４１０は、タッチパネル機能により各種指示の入力を受け付ける複数のキーを表示制御部５２２による制御の下で表示する。
【００３７】
操作キー部４３０には、図２に示した機能切換キー４３４、スタートボタン４３２、及びテンキー４３３等が設けられている。制御部５１のＣＰＵ５２は、上記表示部４１０及び操作部４００の各キーから、操作者によって入力された指示を受け付ける。
【００３８】
ファクシミリ通信部７５は、符号化／復号化部（図示省略）、変復調部（図示省略）及びＮＣＵ（Network Control Unit）（図示省略）を含む。ファクシミリ通信部７５は、スキャナ部１１によって読み取られた原稿の画像データを、電話回線を介してファクシミリ装置等へ送信したり、ファクシミリ装置等から送信された画像データを受信したりする。符号化／復号化部は、送信する画像データを圧縮・符号化し、受信した画像データを伸長・復号化する。変復調部は、圧縮・符号化された画像データを音声信号に変調し、受信した信号（音声信号）を画像データに復調する。ＮＣＵは、送受信先となるファクシミリ装置等との電話回線による接続を制御する。
【００３９】
制御部５１は、ＣＰＵ５２と、データ記憶部５３とを備える。ＣＰＵ５２は、複合機１の動作制御を司るものである。
【００４０】
データ記憶部５３は、メモリ等からなり、操作者に対する操作案内を行うための操作画面を表示するための各種データや、スキャナ機能、ファクシミリ機能、プリンタ機能、コピー機能等の各機能の動作状況を表示するための表示画面用の画像データ（画像、文字、記号等の各データを含む）を記憶している。さらに、データ記憶部５３は、原稿読み取り部５００によって読み取られた原稿の画像データ、ネットワークＩ／Ｆ部７１によって、ＬＡＮ接続されたパーソナルコンピュータから取得された画像データ、及びＨＤＤ７４（又は図略のＩ／Ｆを介して複合機１に装着される外部メモリ等）に記憶されている文書の画像データを、画像形成用に一時的に記憶すると共に、当該画像データのサムネイル画像（操作者による画像データ内容の内容確認用）を生成するために一時的に記憶する。
【００４１】
ＣＰＵ５２は、動作制御部５２１、表示制御部５２２、変更頁検出部５２３、サムネイル画像生成部５２４、頁指定受付部５２５、及び識別情報取得部５２７を備える。
【００４２】
動作制御部５２１は、複合機１の各部（操作部４００、スキャナ部１１，画像処理部２１、プリンタ部３１等）の動作制御を司る。
【００４３】
表示制御部５２２は、表示部４１０の表示動作を制御する。表示制御部５２２は、データ記憶部５３から、操作画面の表示に必要な画像データ等を読み出して表示部４１０に表示させる。
【００４４】
変更頁検出部５２３は、ネットワークＩ／Ｆ部７１によって、ＬＡＮ接続（又はインターネット接続）されたパーソナルコンピュータから取得された画像データ等について（以下、この画像データを、文書データと記す）、例えば当該文書データがファイルでなる場合に、各ファイルの頁毎に、内容を更新したことを示す変更履歴情報が付与されているか否かを検出する。例えば、変更頁検出部５２３は、上記パーソナルコンピュータから、当該文書データ受信時に、当該文書データとその変更履歴情報を受信する。この変更履歴情報は、パーソナルコンピュータにおいて、例えば、文書作成時においてワードプロセッサを用いての文書変更又は更新時に当該ファイルに付随させて記録される変更履歴情報（例えば、文書の本体データと、変更された箇所のみを示す変更箇所データを示す当該変更履歴情報との両方を当該文書データとしている場合等における変更履歴情報）が用いられる。
【００４５】
例えば、当該パーソナルコンピュータでは、プリンタドライバにより複合機１へ当該文書テータを印刷データ等として送出する際に、当該プリンタドライバが、当該文書データに付随されている変更履歴情報を読み出し、読み出した変更履歴情報を、文書の本体データとは別個のデータとし、文書の本体データと共に文書データとして送信する。変更頁検出部５２３は、当該文書データの受信時に、この文書データの本体データに付随して送信されてきた変更履歴情報を解析し、当該文書データにおいて、当該文書データの最新更新日時に、当該最新更新日時に対して直近のデータ更新時の文書データと比べて変更されている箇所を有する変更頁を検出する。
【００４６】
この際、変更頁検出部５２３は、当該解析された変更履歴情報に基づいて各変更頁における前回更新時からの変更量も検出可能とされている。例えば、変更頁検出部５２３は、上記変更履歴情報が示す変更箇所のテキスト量をアスキーコードで除算することにより、当該変更量を検出する。
【００４７】
サムネイル画像生成部５２４は、文書データが示す画像を縮小処理等することによって、サムネイル画像を生成する。サムネイル画像生成部５２４は、例えば、上記文書データのフロント頁や、変更頁検出部５２３によって検出された変更頁のサムネイル画像を生成する。サムネイル画像生成部５２４は、少なくとも変更頁検出部５２３によって検出された変更頁のサムネイル画像を生成する。
【００４８】
なお、表示制御部５２２は、サムネイル画像生成部５２４によって生成された各頁のサムネイル画像と、変更頁検出部５２３によって検出された変更頁、すなわち、変更頁の頁番号情報を示すポップアップ画像とを表示部４１０に表示させる。
【００４９】
頁指定受付部５２５は、表示制御部５２２によって表示されたポップアップ画像が示す各頁番号情報の中から、操作者による操作部４００の操作に基づいて、サムネイル画像を表示させる頁番号情報の指定を操作者から受け付ける。表示制御部５２２は、頁指定受付部５２５に操作者からの頁番号情報の指定が受け付けられた場合、当該受け付けられた頁番号情報が示す頁のサムネイル画像を表示部４１０に表示させる。このとき、表示制御部５２２は、この時点で表示部４１０に表示させているサムネイル画像がある場合には、当該表示しているサムネイル画像に代えて、頁指定受付部５２５に頁番号情報の指定が受け付けられた頁のサムネイル画像を表示部４１０に表示させる。
【００５０】
識別情報取得部５２７は、各操作者を識別するための識別情報（例えば、各操作者別に割り振られた各操作者固有のＩＤ等）の入力を、操作者による操作部４００の操作を介して、各操作者別に受け付ける。
【００５１】
なお、本発明の一実施形態に係る画像表示装置は、操作部４００と、表示部４１０と、表示制御部５２２と、変更頁検出部５２３と、サムネイル画像生成部５２４と、頁指定受付部５２５と、画像データ取得部としての例えばネットワークＩ／Ｆ部７１とを備え、更に、処理の必要性に応じて、更に、識別情報取得部５２７を備える。
【００５２】
なお、本発明の一実施形態に係る表示制御プログラムは、ＨＤＤ７４等の複合機１内の記憶媒体に記憶されており、ＣＰＵ５２が当該表示制御プログラムに従って動作制御を行うことで、上記表示制御部５２２、変更頁検出部５２３、サムネイル画像生成部５２４、頁指定受付部５２５、識別情報取得部５２７として機能する。この表示制御プログラムは、ＣＤ−ＲＯＭ又はＤＶＤからの読込、或いは、ネットワークＩ／Ｆ７１によるインターネット上のサーバからダウンロードにより、ＨＤＤ７４等に記憶される。
【００５３】
但し、上記表示制御部５２２、変更頁検出部５２３、サムネイル画像生成部５２４、頁指定受付部５２５、識別情報取得部５２７は、ＣＰＵ５２が上記表示制御プログラムに従って動作制御することで実現されるものに限られず、上記表示制御部５２２、変更頁検出部５２３、サムネイル画像生成部５２４、頁指定受付部５２５、識別情報取得部５２７が回路等によりハード的に備えられていてもよい。
【００５４】
次に、複合機１におけるサムネイル画像表示処理の第１実施形態を説明する。図４は、複合機１におけるサムネイル画像表示処理の第１実施形態を示すフローチャートである。図５及び図６は表示画面の一例を示す図である。
【００５５】
複合機１の稼働中に、複合機１に接続されているネットワーク上のパーソナルコンピュータから、印刷用の文書データ（文書の本体データ及び当該文書の変更履歴情報）がネットワークＩ／Ｆ部７１により受信されると（Ｓ１でＹＥＳ）、動作制御部５２１は、当該受信された文書データをデータ記憶部５３に一時的に記憶させる（Ｓ２）。
【００５６】
続いて、変更頁検出部５２３は、当該文書データの受信時に、この文書の本体テータに付随し送信されてきた変更履歴情報を解析し、当該本体データにおいて、当該文書データの最新更新日時時点で、これに対する直近の前回データ更新時点から変更されている変更箇所を有する変更頁を検出する（Ｓ３）。
【００５７】
上記変更頁検出部５２３による変更頁の検出後、サムネイル画像生成部５２４は、当該変更頁の情報に従って、当該文書データ（本体データ）をなす全頁のうち、当該変更頁情報が示す頁についてサムネイル画像を生成する（Ｓ４）。また、本実施形態では、サムネイル画像生成部５２４は、当該指定された文書のフロント頁のサムネイル画像も生成する。当該生成された各頁のサムネイル画像は、例えばデータ記憶部５３に記憶される。
【００５８】
当該サムネイル画像の生成後、表示制御部５２２は、上記生成されたフロント頁のサムネイル画像を表示すると共に、上記サムネイル画像が生成された変更頁を示す頁番号情報のポップアップ画像を表示部４１０に表示させる（Ｓ５）。例えば、表示制御部５２２は、図５に示すように、上記文書データについて、そのフロント頁のみサムネイル画像Ｄ１を表示部４１０に表示させると共に、上記サムネイル画像が生成された変更頁の頁番号情報を示すポップアップ画像Ｄ２を表示部４１０に表示したサムネイル表示画面Ｄを表示させる。なお、このサムネイル表示画面Ｄは、操作者により、サムネイル画像の生成頁（変更頁）が第3頁，第5頁，第7頁の場合の例を示している。
【００５９】
このサムネイル表示画面Ｄの表示時に、操作者により、ポップアップ画像Ｄ２のいずれかの頁番号情報の表示部分が押下されると（Ｓ６でＹＥＳ）、当該押下された表示部分に該当する頁のサムネイル画像を表示する指示が頁指定受付部５２５に受け付けられる。表示制御部５２２は、当該頁指定受付部５２５に受け付けられた頁番号情報のサムネイル画像のデータをデータ記憶部５３から読み出し、この時点で表示部４１０に表示させている頁、例えば上記フロント頁のサムネイル画像、又は他頁のサムネイル画像に代えて表示させる（Ｓ７）。
【００６０】
このとき、図６に示すように、表示制御部５２２は、この新たに表示したサムネイル画像Ｄ３と共に、当該サムネイル画像Ｄ３として表示されている頁（図６の例では第3頁）以外の頁であって、サムネイル生成部５２４にサムネイル画像を生成する頁として受け付けられている頁（上記変更頁でもある。図６の例では第5頁，第7頁）の頁番号情報を示す画像をポップアップ表示させる。この後、処理はＳ６に戻る（Ｓ８でＮＯ）。
【００６１】
このようなサムネイル表示及びポップアップ表示が行われているとき、当該サムネイル表示画面Ｄに表示されている印刷ボタンＤ４が操作者により押下され、タッチパネル機能により、動作制御部５２１に、当該サムネイル表示されている文書についての画像形成指示が受け付けられると（Ｓ８でＹＥＳ）、動作制御部５２１がプリンタ部３１に当該指定された文書データについての画像形成動作（印刷動作）を実行させる（Ｓ９）。なお、キャンセルボタンＤ５が押下された場合は、動作制御部５２１は当該画像形成動作を行うことなく処理を終了する。
【００６２】
この第１実施形態の変形形態を説明する。この変形形態では、第１実施形態におけるＳ３において、変更頁検出部５２３は、上記文書データの受信時に、この文書の本体データに付随して送信されてきた変更履歴情報に基づいて、当該文書データをなす各頁について、上述した変更箇所のみならず、その変更量も検出する。そして、第１実施形態におけるＳ５において、表示制御部５２２は、変更履歴情報が付与されて変更箇所を有するとして検出された各変更頁を示す頁番号情報を、変更頁検出部５２３によって検出された変更量の多い順に並べてポップアップ画像を表示させる。この場合の表示画面の一例を図７に示す。当該図７には、上記サムネイル画像が生成されている変更頁が第3頁，第5頁，第7頁の場合であって、第5頁，第3頁，第7頁の順に変更量が多い場合の例を示している。なお、図７（ａ）には、変更量が多い順に、各変更頁を示す頁番号情報を横方向に左から並べた例を示しているが、この例に限られず、図７（ｂ）に示すように、変更量が多い順に、各変更頁を示す頁番号情報を縦方向に上から並べる等、変更量が多い順に他の配列方法により表示する、図７（ｃ）に示すように、変更量が多い程、各変更頁を示す頁番号情報を示す画像を大きく表示する、等でもよい。
【００６３】
上記第１実施形態及び変形形態においては、サムネイル画像生成部５２４は、サムネイル画像生成時に、当該サムネイル画像生成の元とされた変更頁の頁番号情報を示す画像を付加したサムネイル画像を生成したり、或いは、表示制御部５２２が、サムネイル画像表示時に、当該サムネイル画像生成の元とされた変更頁の頁番号情報を示す画像を当該サムネイル画像に加えて表示させることが好ましい。なお、以下に示す第２実施形態及びその変形形態においても同様である。
【００６４】
次に、複合機１におけるサムネイル画像表示処理の第２実施形態を説明する。図８は、複合機１におけるサムネイル画像表示処理の第２実施形態を示すフローチャートである。図９は表示画面の一例を示す図である。なお、第１実施形態と同様の処理は説明を省略する。
【００６５】
この第２実施形態では、複合機１の起動時に、操作者によって識別情報が入力されてログインされており、複合機１が当該操作者毎に対応した内容で表示部４１０の表示制御等を行う場合の処理である。
【００６６】
複合機１の起動時、表示制御部５２２は、表示部４１０に、上記図９に例を示すような識別情報入力画面Ｅを表示させる（Ｓ１１）。この識別情報入力画面Ｅの表示時に、操作者による操作部４００の操作で、操作者固有の上記識別情報が入力され、識別情報取得部５２７により識別情報が受け付けられると（Ｓ１２でＹＥＳ）、動作制御部５２１は、当該受け付けた識別情報が、当該識別情報取得部５２７が予め記憶している識別情報（当該複合機１の操作が許可された操作者に対して付与されている識別情報）に一致するかを判断し（Ｓ１３）、動作制御部５２１は、一致すると判断した場合に（Ｓ１３でＹＥＳ）、当該識別情報を入力した操作者の複合機１へのログインを許可し、複合機１をコピー動作、プリント動作等の動作が可能な状態とする（Ｓ１４）。
【００６７】
そして、当該第２実施形態では、複合機１がパーソナルコンピュータから受信する文書テータの一部としての変更履歴情報は、各々の操作者毎に付与された（各操作者固有の）識別情報を含んでいる。すなわち、当該変更履歴情報は、上記変更箇所データが記録されるとき、当該変更箇所データに対応付けて、この変更を行った操作者を示す識別情報も記録される。例えば、変更履歴情報は、変更箇所データを複数有する場合、そのそれぞれについて、変更を行った操作者を示す識別情報を保有している。当該文書データを複合機１に対して送信するパーソナルコンピュータは、そのプリンタドライバにより、変更箇所データ及びその識別情報の組みを１つ以上有する変更履歴情報を、文書の本体データとは別個のデータとし、文書の本体データと共に文書データとして送信する。
【００６８】
そして、複合機１の稼働中に、複合機１に接続されているネットワーク上のパーソナルコンピュータから、印刷用の文書データ及び当該文書データの変更履歴情報がネットワークＩ／Ｆ部７１により受信され（Ｓ１５でＹＥＳ）、動作制御部５２１により当該文書データ及びその変更履歴情報がデータ記憶部５３に一時的に記憶されると（Ｓ１６）、変更頁検出部５２３は、当該変更履歴情報を解析し、Ｓ１２で受け付けられた識別情報に対応付けられた変更箇所データを変更履歴情報から抽出し、Ｓ１２で受け付けられた識別情報に対応する変更箇所を有する変更頁を検出する（Ｓ１７）。
【００６９】
上記変更頁検出部５２３による変更頁の検出後、サムネイル画像生成部５２４は、当該変更頁の情報に従って、当該文書データをなす全頁のうち、当該変更頁情報が示す頁についてサムネイル画像を生成する（Ｓ１８）。
【００７０】
当該サムネイル画像の生成後、表示制御部５２２は、上記生成されたフロント頁のサムネイル画像と、上記サムネイル画像が生成された変更頁の頁番号情報を示すポップアップ画像とを表示部４１０に表示させる（Ｓ１９）。
【００７１】
このサムネイル表示画面Ｄの表示時に、操作者により、ポップアップ画像Ｄ２のいずれかの頁番号情報の表示部分が押下されると（Ｓ２０でＹＥＳ）、当該押下された表示部分に該当する頁のサムネイル画像を表示する指示が頁指定受付部５２５に受け付けられ、表示制御部５２２は、当該頁指定受付部５２５に受け付けられた頁番号情報が示す頁のサムネイル画像のデータをデータ記憶部５３から読み出し、この時点で表示部４１０に表示させている上記フロント頁のサムネイル画像に代えて表示させる（Ｓ２１）。
【００７２】
このように、第２実施形態は、異なる識別情報を有する各操作者別に、変更頁をポップアップ画像により案内し、当該重要と想定される変更頁についてのサムネイル画像を操作者にとって簡単な操作で表示部に表示できるようにしている。
【００７３】
なお、上記各処理においては、上記識別情報に代えて、パーソナルコンピュータログイン時のアカウント等を用いることも可能である。
【００７４】
この第２実施形態の変形形態を説明する。この変形形態では、第２実施形態におけるＳ１７において、変更頁検出部５２３は、上記文書データの受信時に、この文書の本体データに付随して送信されてきた変更履歴情報に基づいて、当該文書データをなす各頁について、上述した識別情報毎の変更箇所のみならず、当該識別情報毎の変更箇所の変更量も検出する。そして、第２実施形態におけるＳ１９において、表示制御部５２２は、変更履歴情報が付与されて変更箇所を有するとして識別情報毎に検出された各変更頁を示す頁番号情報を、変更頁検出部５２３によって検出された変更量の多い順に並べてポップアップ画像を表示させる。この場合の表示例は、図７に示したものと同様である。
【００７５】
なお、本発明は上記実施の形態の構成に限られず種々の変形が可能である。
【００７６】
例えば、上記各実施形態及びその変形形態では、表示制御部５２２は、変更頁検出部５２３により検出された文書データのサムネイル画像の表示時（図４のＳ５等）に、当該文書データについてサムネイル画像生成部５２４により生成されたフロント頁のサムネイル画像を表示するものとしているが、これに代えて、サムネイル画像生成部５２４は、当該文書データについて、サムネイル画像の生成が指定された頁（変更頁）についてのみサムネイル画像を生成するものとし、表示制御部５２２は、当該頁について生成されたサムネイル画像のいずれかのみを表示部４１０に表示させるようにしてもよい。
【００７７】
また、上記各実施形態及びその変形形態では、本発明の適用例を、ネットワークＩ／Ｆ部７１によって、ＬＡＮ接続（又はインターネット接続）されたパーソナルコンピュータから取得された画像データの場合を例にして説明しているが、図略のＩ／Ｆを介して複合機１に装着される外部メモリ等に記憶されている文書データ（画像データ）、ＨＤＤ７４に記憶されている画像データが画像形成や表示部４１０の表示等に用いられる場合であって、各文書データに上記変更履歴情報が付随している場合に、当該文書データについてサムネイル画像を生成及び表示する場合にも、本発明を適用することが可能である。
【００７８】
また、上記各実施形態では、表示制御部５２２は、例えば図５，図６に示すように、サムネイル画像の表示が可能な全頁の頁番号情報を１つのポップアップ画像で表示するが、これに代えて、表示制御部５２２は、図１０に例を示すサムネイル表示画面Ｄのように、サムネイル画像の表示が可能な各頁番号情報毎に別個のポップアップ画像Ｄ２１，Ｄ２２，Ｄ２３を表示するようにしてもよい。なお、上記各変形形態における、表示制御部５２２が、変更量の多い順に頁番号情報を並べてポップアップ画像を表示させる場合も、図１０に示す例と同様に、各頁番号情報毎に別個のポップアップ画像を表示する。
【００７９】
また、上記各実施形態及びその変形形態では、表示制御部５２２は、サムネイル画像表示時の初期画面として、サムネイル画像生成部によって生成された変更頁のいずれかの頁のサムネイル画像を表示するようにしているが（図４のＳ５，図８のＳ１９）、これに代えて、表示制御部５２２は、上記文書データを示すアイコン画像を、上記ポップアップ画像と共に表示部４１０に表示させるようにしてもよい。
【００８０】
また、上記各実施形態及び変形形態でいうポップアップ画像とは、上記サムネイル画像は別個に表示される画像を広く含むものとする。
【００８１】
さらに、本発明は、上記に例を示した複合機に限られず他の画像形成装置、例えば、ファクシミリ装置、プリンタ、複合機（コピー、ファクシミリ装置、プリンタ等の機能を兼ね備えた画像形成装置）等に適用することが可能である。更には、画像形成装置に限られず、携帯電話や他の電気機器に適用することも可能である。
【００８２】
上記図１乃至図１０に示した実施形態に係る構成及び処理は、本発明に係る画像読取装置及び画像形成装置の構成及び処理の単なる一例に過ぎず、本発明に係る画像読取装置及び画像形成装置の構成及び処理を上記に示した内容に限定するものではない。
【符号の説明】
【００８３】
１          複合機
４１０      表示部
５１        制御部
５２        ＣＰＵ
５２１      動作制御部
５２２      表示制御部
５２３      変更頁検出部
５２４      サムネイル画像生成部
５２５      頁指定受付部
５２７      識別情報取得部
７１        ネットワークＩ／Ｆ部
【図１】
2011199748.tif 000003
【図２】
2011199748.tif 000004
【図３】
2011199748.tif 000005
【図４】
2011199748.tif 000006
【図５】
2011199748.tif 000007
【図６】
2011199748.tif 000008
【図７】
2011199748.tif 000009
【図８】
2011199748.tif 000010
【図９】
2011199748.tif 000011
【図１０】
2011199748.tif 000012